(57)【要約】      （修正有）【課題】不快感を与え難く、使用後の処分も容易な害虫捕獲器を提供する。【解決手段】害虫捕獲器（ゴキブリ捕獲器）１を、害虫（ゴキブリ）を収容し得る内部空間を有する立体状の本体２を備え、本体２に、害虫（ゴキブリ）を外部から内部空間へ進入させることが可能な開口部３が設けられた構成とし、開口部３を、本体２において一方向（後方）のみに向けて外部へ開放するように構成する。望ましくは、本体２を、少なくとも一方向に圧し潰すことが可能なように構成する。【選択図】図１
2019126288.tif 000002
【特許請求の範囲】
【請求項１】
害虫を収容し得る内部空間を有する立体状の本体を備え、上記本体に、害虫を外部から上記内部空間へ進入させることが可能な開口部が設けられた害虫捕獲器であって、
上記開口部が、上記本体において一方向のみに向けて外部へ開放するように構成されていることを特徴とする害虫捕獲器。
【請求項２】
上記本体が、少なくとも一方向に圧し潰すことが可能に構成されている、請求項１に記載の害虫捕獲器。
【請求項３】
上記本体の内面における少なくとも一部に粘着部を有し、本体を圧し潰すと上記本体の対向する内面同士が粘着し得るように構成されている、請求項２に記載の害虫捕獲器。
【請求項４】
上記本体が、少なくとも一部に折り曲げ部を有し、該折り曲げ部を折り曲げることにより圧し潰すことが可能に構成されている、請求項２又は３に記載の害虫捕獲器。
【請求項５】
上記本体が、上記開口部より外側へ間隔を確保するためのスペーサ部を有する、請求項１〜４に記載の害虫捕獲器。
【請求項６】
上記スペーサ部が、上記開口部より外側へ０．５〜２ｃｍの間隔を確保し得るものとなっている、請求項５に記載の害虫捕獲器。
【請求項７】
上記本体が、方形状の上面壁および底面壁と、上辺が傾斜する多辺形状の左右両側面壁とにより、上面、底面および左右両側面が閉塞され、上記上面壁が上記両側面壁の上辺に沿って傾斜し、上記上面壁における最も高い位置で延びる端縁に沿って拡がる側面の少なくとも一部が開放されて上記開口部となっている、請求項１〜６に記載の害虫捕獲器。
【発明の詳細な説明】
【技術分野】
【０００１】
本発明は、ゴキブリ等の害虫を捕獲する害虫捕獲器に関する。
【背景技術】
【０００２】
従来、害虫捕獲器として、例えば特許文献１に開示されたようなものが一般的に知られている。その概略構成は、例えば図１１に示すゴキブリ捕獲器１００のようなものとなっている。即ち、厚紙等のシート材よりなり、横長に延びる断面台形状の中空の筒状となるように折り曲げて組み立てられる本体１０１を備え、該本体１０１の軸方向両端部には端部開口部１０２、１０２が、両側面部には側面開口部１０３、１０３がそれぞれ設けられ、該本体１０１内の底面１０４上には、透明または半透明の粘着層が全面的に形成される（図示省略）とともに、中央に誘引剤（図示省略）が配置されるようになっている。この構成により、外部からゴキブリを端部開口部１０２、１０２ないし側面開口部１０３、１０３を通して内部へ誘引し、粘着層で粘着して捕獲することができる。
【先行技術文献】
【特許文献】
【０００３】
【特許文献１】特開平１１−９２号公報
【発明の概要】
【発明が解決しようとする課題】
【０００４】
しかしながら、このゴキブリ捕獲器１００のような構成においては、ゴキブリが捕獲された後、その捕獲されたゴキブリが、端部開口部１０２、１０２や側面開口部１０３、１０３のような開口部からよく見えるために不快感を与えやすく、例えば応接室や居間等における人目に付きやすいような場所には設置し難いといった問題がある。特に女性にとっては、このような不快感が覚えられやすく、使用後のゴキブリ捕獲器１００となると、接触するのも嫌悪されるといったように扱い難いものであるため、その処分が困難となるようなことも多い。
【０００５】
本発明は、上記課題に鑑みて考え出されたものであり、その目的は、不快感を与え難く、使用後の処分も容易な害虫捕獲器を提供することである。
【課題を解決するための手段】
【０００６】
上記目的を達成するために、本発明に係る害虫捕獲器は、
害虫を収容し得る内部空間を有する立体状の本体を備え、上記本体に、害虫を外部から上記内部空間へ進入させることが可能な開口部が設けられた害虫捕獲器であって、
上記開口部が、上記本体において一方向のみに向けて外部へ開放するように構成されていることを特徴とする。
【０００７】
上記構成によれば、開口部が一方向のみに向けて外部へ開放するように構成されているので、内部空間に害虫を収容した状態でも、外部から害虫が見え難く、従って不快感を与え難くすることができる。特に、例えば壁、家具等の構造物に開口部を向けるようにして害虫捕獲器を設置すれば、内部空間の害虫が人目に付くことを効果的に抑制することができる。
【０００８】
また、内部空間の害虫が、開口部を除いて本体によって覆われることとなるので、害虫に触れることなく本体を扱うことも容易であり、従って使用後の害虫捕獲器の処分も容易に行うことができる。
【０００９】
さらにまた、本体において開口部を除く部位は、開放されていなければよいため、その形状、意匠等を自由に設計することができ、例えば、開口部形成面も含めて４面以上となる複数面を有するシンプルな多面体や、あるいは平面、曲面、突起等を組み合わせた立体等の形状に成形したり、表面に各種の装飾、絵柄、模様等を設けたりして意匠性を向上させることもできる。従って、害虫を連想し難く好ましい外観をより効果的に構成することができる。
【００１０】
上記本体が、少なくとも一方向に圧し潰すことが可能に構成されていることが望ましい。
【００１１】
上記構成によれば、内部空間に害虫を収容した状態で、本体を圧し潰すことにより、害虫捕獲器をコンパクト化することができるので、扱いや処分をより容易とすることができる。また、本体を圧し潰すことで、内部空間の害虫がより見え難くなる。
【００１２】
上記本体の内面における少なくとも一部に粘着部を有し、本体を圧し潰すと上記本体の対向する内面同士が粘着し得るように構成されていることが望ましい。
【００１３】
上記構成によれば、粘着部で本体の対向する内面同士を粘着させることによって本体を圧し潰した状態に保持することができる。従って、害虫捕獲器を容易にコンパクト化した状態に保持することができるので、扱いや処分をさらに容易とすることができる。また、内部空間が害虫を閉じ込めた状態で閉塞される格好となり、そのぶん害虫をさらに効果的に見え難くすることができる。
【００１４】
また、粘着部を、上述のように本体を圧し潰した状態に保持する機能と、粘着により害虫を捕らえる捕獲手段としての機能とを兼ねる構成とすることもでき、これにより、害虫捕獲器を効率的に構成することができる。
【００１５】
上記本体が、少なくとも一部に折り曲げ部を有し、該折り曲げ部を折り曲げることにより圧し潰すことが可能に構成されていることが望ましい。
【００１６】
上記構成によれば、簡単な構成により効果的に圧し潰すことが可能な本体とすることができる。
【００１７】
上記本体が、上記開口部より外側へ間隔を確保するためのスペーサ部を有することが望ましい。
【００１８】
上記構成によれば、害虫捕獲器を設置した状態で、開口部の外側に害虫が通過し得る通路を確保することができる。特に、例えば壁、家具等の構造物に沿って害虫捕獲器を設置する場合に、スペーサ部を該構造物にあてて位置させることによって、必要な通路を確保しながら害虫捕獲器を容易かつ確実に設置することができる。換言すれば、スペーサ部が、開口部と構造物との間に所要の間隔をおくようにして害虫捕獲器を配置するためのガイドないし位置決め手段として機能することができる。
【００１９】
上記スペーサ部が、上記開口部より外側へ０．５〜２ｃｍの間隔を確保し得るものとなっていることが望ましい。
【００２０】
上記構成によれば、害虫が通過しやすい幅を有する通路を形成することができる。
【００２１】
上記本体が、方形状の上面壁および底面壁と、上辺が傾斜する多辺形状の左右両側面壁とにより、上面、底面および左右両側面が閉塞され、上記上面壁が上記両側面壁の上辺に沿って傾斜し、上記上面壁における最も高い位置で延びる端縁（頂部端縁）に沿って拡がる側面の少なくとも一部が開放されて上記開口部となっていることが望ましい。
【００２２】
上記構成によれば、上面壁が開口部に向けて上方へ傾斜しながら、本体が全体として開口部に向けて次第に拡大していくような形状の多面体となる。従って、開口部の開口面積を大きく確保しながら、安定感をもって配置することができる。また、圧し潰す際にも開口部の側から圧し潰しやすい。さらにまた、外観の上でも、シャープでシンプルな見栄えを有し、害虫を連想し難く好適な印象を与え得るデザインの害虫捕獲器とすることができる。特に、例えば壁、家具等の構造物に開口部を向けるようにして害虫捕獲器を設置する場合に、大きく開口した開口部であっても見え難いような体勢として、スペースを効率よく利用しつつ納まり良く配置することができる。また、上述のような簡潔な構成を有することにより、組み立ても容易とすることができる。
【発明の効果】
【００２３】
本発明によれば、不快感を与え難く、使用後の処分も容易な害虫捕獲器を得ることができる。
【図面の簡単な説明】
【００２４】
【図１】実施の形態に係る害虫捕獲器の正面側の斜視図。
【図２】実施の形態に係る害虫捕獲器の背面側の斜視図。
【図３】図２のＸ１部拡大図。
【図４】実施の形態に係る害虫捕獲器の設置状況の一例を示す斜視図。
【図５】変更態様に係る害虫捕獲器の正面側の斜視図。
【図６】スペーサ部の別の例およびその形成箇所の構造を示す正面側の斜視図。
【図７】本体の別の例を示す概略左側面図であって、（ａ）三角形状の側面壁を有する本体の例、ならびに（ｂ）長方形状の側面壁を有する本体の例である。
【図８】開口部の別の例を示す概略背面図。
【図９】変更態様に係る害虫捕獲器の正面側の斜視図。
【図１０】実施の形態に係る害虫捕獲器の設置状況の別の例を示す斜視図。
【図１１】従来の害虫捕獲器の一例を示す斜視図。
【発明を実施するための形態】
【００２５】
以下、本発明を実施の形態に基づいて詳述する。なお、本発明は以下の実施の形態に限定されるものではない。
【００２６】
（害虫捕獲器の構成）
本実施の形態においては、害虫捕獲器として、図１〜図４に示すゴキブリ捕獲器１を例示する。ゴキブリ捕獲器１は、同図に示すように、本体２を備え、該本体２には開口部３が設けられた基本構成を有するものとなっている。
【００２７】
本体２は、１枚の厚紙を展開図（図示省略）の形状に裁断し、折り曲げて組み立てることによって構成されており、図１および図２に示すように、方形状の上面壁２Ｔおよび底面壁２Ｂと、上辺が傾斜する四辺形状の左側面壁２Ｌおよび右側面壁２Ｒとにより、上面、底面および左右両側面が閉塞され、上面壁２Ｔが左側面壁２Ｌおよび右側面壁２Ｒの上辺に沿って傾斜した多面体形状を有する立体となるように構成されている。さらに、横長の帯状に延びる形状の前面壁２Ｆにより前面が閉塞されている。左側面壁２Ｌの下端および右側面壁２Ｒの下端からはそれぞれ片状の糊代２Ａが下方へ延出し、内側へ直角に折り曲げられて底面壁２Ｂの内面（上側面）に重ねて接合されている。
【００２８】
底面壁２Ｂは、左側面壁２Ｌおよび右側面壁２Ｒの後端よりもさらに後方へ長く延出し、これによりスペーサ部２Ｓが形成されている。また、スペーサ部２Ｓがその先端よりさらに後方へ延出して上側へ折り返され、これによりステップ部２Ｐが形成されている。
【００２９】
底面壁２Ｂが左側面壁２Ｌおよび右側面壁２Ｒの後端よりも後方へ延出する幅、即ちスペーサ部２Ｓの幅ｗ１は約１．５ｃｍとなっている。一方、ステップ部２Ｐの折り返し方向における幅ｗ２は約２ｃｍとなっており、底面壁２Ｂに対する傾斜角度は約２０°、即ち、スペーサ部２Ｓの後端から、上側へ折り返されて前上方へ約２０°の勾配で斜面をなすように延びる構成となっている。
【００３０】
上面壁２Ｔの後端は後方へやや延出して下方へ垂下するように折り返され、これにより補強片２Ｅが形成されている。この補強片２Ｅが補強リブとして機能することにより、上面壁２Ｔの強度が確保されるようになっている。
【００３１】
左側面壁２Ｌの後端からは、図３にも示すように、下端部（下端から高さ方向の幅約０．５ｃｍ程度の部分）を除いてこれより上の大部分が後方へある程度（約２．２ｃｍ程度）延出して内側（右側）へ折り曲げられることによって矩形片２１Ｌが形成され、これにより高さ方向の強度が確保されるようになっている。左側面壁２Ｌは、高さ方向中央あたりの位置に、該左側面壁２Ｌを上下に二分するように前後方向に延びる第１折り目２２Ｌが付されており、該第１折り目２２Ｌを谷折りするようにして左側面壁２Ｌを折り曲げることにより、該左側面壁２Ｌを上下方向にひしげさせることができるようになっていて、これにより本体２が上下方向に圧し潰しやすくなっている。また、矩形片２１Ｌの高さ方向中央あたりの位置にも、上記第１折り目２２Ｌに連続するように第２折り目２３Ｌが付されており、左側面壁２Ｌとの境目で矩形片２１Ｌをさらに内側へ（即ち前側へ）折り曲げて左側面壁２Ｌに内側からほぼ重なるようにした状態で、上述のように左側面壁２Ｌを折り曲げると、これとともに矩形片２１Ｌも該第２折り目２３Ｌで山折りされるようになっている。即ち、上記左側面壁２Ｌの折り曲げに追随するように折り曲げられて上下方向にひしげるようになっている。
【００３２】
さらに、矩形片２１Ｌの左上隅部にはＶ字形状の切込み２４Ｌが形成されており、補強片２Ｅの左下隅部が挿入されて掛止され、これにより矩形片２１Ｌと補強片２Ｅとが掛止し合う体勢となって互いに折り曲げ状態を保持し合い得るようになっており、一方、例えば上述のように左側面壁２Ｌを折り曲げて上下方向にひしげさせる際には、補強片２Ｅの左下隅部を切込み２４Ｌから抜いて容易に掛止を解除することができるようになっている。また、矩形片２１Ｌの下端縁もステップ部２Ｐの先端縁（上端縁）に上方から掛止し、これにより上述のような傾斜角度約２０°のステップ部２Ｐの折り返し状態を保持し得るようになっている。
【００３３】
以上の構成により、本体２の左側部における組立構造が保持されるとともに、本体２を圧し潰すことが可能な構造となっている。一方、図２に示すように、右側面壁２Ｒにも矩形片２１Ｒが形成されているが、この矩形片２１Ｒの構成やその周囲の組立構造は上述の左側部における矩形片２１Ｌの場合と左右対称となっているので、その説明は省略する。
【００３４】
本体２を上述のように組み立てた状態では、図２に示すように、補強片２Ｅ、ステップ部２Ｐならびに左右両側の矩形片２１Ｌ、２１Ｒにより上下左右を包囲された領域、即ち、本体２の背面の大部分を占有する、中央の横長に延びる矩形状の領域が開放されて本体２の内部空間と外部とが通じており、これにより開口部３が形成されている。本実施の形態に係る開口部３は、高さ約３ｃｍ程度、横幅約１４ｃｍ程度となっており、害虫であるゴキブリが進入しやすい寸法となっている。即ち、害虫であるゴキブリを外部から本体２の内部空間へ進入させることが可能な構成となっている。
【００３５】
本体２の内面は全体的に、ゴキブリの色に近い灰色に着色されており、これにより捕獲したゴキブリがなるべく目立たないようにされている。また、底面壁２Ｂにおける内面（上側面）には全面的に透明性を有する粘着剤層が形成されており（図示省略）、内部空間の適宜位置には誘引剤が配置されるようになっている（図示省略）。また一方、ステップ部２Ｐならびに左右両側面壁２Ｌ、２Ｒの矩形片２１Ｌ、２１Ｒを含め、本体２の外面には全体的に、印刷により装飾用の柄（デザイン）が付されている（図示省略）。
【００３６】
（害虫捕獲器の設置および使用）
本実施の形態に係るゴキブリ捕獲器１は、屋内ないし屋外の任意の箇所に設置することができ、特に上述のようなシンプルですっきりした外観を具えるものとなっていることから、人目につきやすいような場所にも違和感なく配置することができる。例えば、室内のインテリアと同じように、あるいはその一部として、床面上や家具の上等に見えやすいように置くこともできる。その場合、周囲から離れるようにして配置してもよいが、特に、例えば図４に示すように、壁、家具等の構造物に開口部３を向けるようにして設置すれば、内部空間のゴキブリが人目に付くことを効果的に抑制することができてさらに望ましい。
【００３７】
図４に示す例では、室内における壁面Ｆ１に開口部３を向けるようにしてゴキブリ捕獲器１が設置されている。このような設置態様であれば、開口部３の直前には壁面Ｆ１が面する格好となっているので、本体２の内部空間にまで視線が届くことはほとんどないと考えられる。従って、ゴキブリが捕獲されて本体２の内部空間に収容されていたとしても、外からはほとんど見えることがなく、しかも上述のようなシンプルですっきりした外観を具えることにより、一見したところではゴキブリのイメージも受け難い。
【００３８】
また、本実施の形態に係るゴキブリ捕獲器１は、上面壁２Ｔが開口部３に向けて上方へ傾斜しながら、本体２が全体として開口部３側へいくにつれ次第に拡大していくシャープな形状を有する多面体となっているので、安定感をもって好適に配置することができ、特に図４に示す例におけるように、床面Ｌ１と壁面Ｆ１との境界部に、スペースを効率よく利用しつつ、すっきりと納まり良く配置することができて周囲とも違和感なく調和できる。
【００３９】
また特に、本実施の形態に係るゴキブリ捕獲器１は、図４に示すように、壁面Ｆ１に接するようにして容易かつ確実に設置することが可能な構成となっている。上述の通り、本体２にはスペーサ部２Ｓが設けられており、その延出幅ｗ１は約１．５ｃｍとなっているが、だいたいこの程度の幅の隙間は一般にゴキブリが特に好むものとなっている。従って、図４に示すようにスペーサ部２Ｓの先端を壁面Ｆ１にあてるようにしてゴキブリ捕獲器１を床面Ｌ１上に置くだけで、本体２の背面すなわち開口部３形成面と壁面Ｆ１との間に、ゴキブリが通過しやすい好適な進入経路を形成することができる。換言すれば、壁面Ｆ１との間に好適な間隔を確保しつつ、開口部３が壁面Ｆ１に最大限に近接して内部空間のゴキブリが見え難いような特に好ましい位置に正確に合うように、ゴキブリ捕獲器１をきわめて容易に配置することができる。
【００４０】
ゴキブリは、例えば、図４に矢印Ａ１およびＡ２で示すように右側方ないし左側方から、矢印Ａ３で示すように壁面Ｆ１を伝って上方から、等のように様々な方向から開口部３に寄ってくることができ、あるいは、矢印Ａ４で示すように上面壁２Ｔの上を乗り越えるようにして寄ってくることも可能である。そして、ゴキブリが本体２の背面と壁面Ｆ１との間に入ってきて、ステップ部２Ｐを踏み越えて開口部３から内部空間へ進入すると、該ステップ部２Ｐは上述の通り前上方へ傾斜していてその先端と底面壁２Ｂとの間にはある程度の高低差があるので、ゴキブリが該ステップ部２Ｐの先端から底面壁２Ｂ上へと落下していく。これにより、ゴキブリがほぼ全身をもって粘着剤層の上にのっかっていく形となるため、効果的に粘着して捕獲され、しかも上述の通りステップ部２Ｐの先端と底面壁２Ｂとの間に高低差があることから、万一十分に粘着されきらないようなことがあったとしても、再びステップ部２Ｐを越えて外部へと逃れ出ることは困難である。こうして、ゴキブリが捕獲されて本体２の内部空間に収容される。
【００４１】
（害虫捕獲器の処理）
ゴキブリ捕獲器１に１匹またはそれ以上の適当数のゴキブリが捕獲されたか否かは、開口部３から内部空間を目視して確認すればよいが、使用者が内部空間のゴキブリを目にするのはほぼこのときだけで済む。ゴキブリの捕獲が確認されてゴキブリ捕獲器１を廃棄する際には、例えばそのままゴミ箱やゴミ袋等に投入するようにしてもよい。本実施の形態に係るゴキブリ捕獲器１は上述の通り開口部３形成面のみが開放されていて閉塞性の高い構成となっているので、内部空間のゴキブリをなるべく目にすることも触れることもなしにゴキブリ捕獲器１を取り扱うことも容易である。換言すれば、内部空間のゴキブリを視覚によっても触覚によってもなるべく感覚することなくゴキブリ捕獲器１を容易に手に取ることができる。
【００４２】
しかしながら、本実施の形態に係るゴキブリ捕獲器１は、上述の通り上面壁が開口部３に向けて上方へ傾斜しながら、本体２が全体として開口部３に向けて次第に拡大していく形状を有する多面体となっているので、特に圧し潰す際にも開口部３の側から圧し潰しやすい。さらにまた、上述の通り、左右両側面壁２Ｌ、２Ｒおよび矩形片２１Ｌ、２１Ｒを折り曲げることによりひしげさせて本体２を圧し潰すことができるように構成されているので、圧し潰しがいっそう容易となっている。そこで、ゴキブリ捕獲器１を廃棄する際に圧し潰すようにすると、ゴキブリ捕獲器１が平板状にコンパクト化されて扱いや処分がより容易となり、また内部空間のゴキブリがより見え難くなる。さらにこのとき、上述の通り底面壁２Ｂにおける内面（上側面）に粘着剤層が形成されているので、本体２を圧し潰すと、該底面壁２Ｂにおける内面（上側面）と上面壁２Ｔにおける内面（下側面）とが互いに粘着し、これにより、本体２が圧し潰した状態に保持される。従って、ゴキブリ捕獲器１が平板状にコンパクト化した状態に保持されるので、扱いや処分がさらに容易となる。また、内部空間がゴキブリを閉じ込めた状態で圧縮されるような格好となり、そのぶんゴキブリがさらに見え難くなる。換言すれば、粘着により害虫を捕らえる捕獲手段としての粘着剤層を利用して、本体２を圧し潰した状態に保持する機能をも得ることができる。
【００４３】
（作用）
本実施の形態に係るゴキブリ捕獲器１は、害虫であるゴキブリを収容し得る内部空間を有する立体状の本体２を備え、上記本体２に、ゴキブリを外部から上記内部空間へ進入させることが可能な開口部３が設けられた構成を有し、上記開口部３が、上記本体２において一方向すなわち後方のみに向けて外部へ開放するように構成されている。
【００４４】
上記構成によれば、開口部３が一方向のみに向けて外部へ開放するように構成されているので、内部空間にゴキブリを収容した状態でも、外部からゴキブリが見え難く、従って不快感を与え難くなっている。特に、例えば壁、家具等の構造物に開口部３を向けるようにしてゴキブリ捕獲器１を設置すれば、内部空間のゴキブリが人目に付くことを効果的に抑制することができる。
【００４５】
また、内部空間のゴキブリが、開口部３を除いて本体２によって、袋状あるいはパック状に包み込まれるようにして覆われることとなるので、ゴキブリを目にすることも触れることもなく本体２を扱うことも容易であり、従って使用後のゴキブリ捕獲器１の処分も容易に行うことができる。
【００４６】
さらにまた、本体２において開口部３を除く部位は、開放されていなければよいので、その形状、意匠等を自由に設計することができ、このため、本実施の形態に係るゴキブリ捕獲器１の場合、シンプルな多面体（六面体）の形状に成形され、表面に装飾用の柄（デザイン）が付されて意匠性が向上するようにされ、これによっても、ゴキブリを連想し難く好ましい外観がより効果的に構成されている。
【００４７】
また、本体２が、少なくとも上下方向に圧し潰すことが容易なように構成されているので、内部空間にゴキブリを収容した状態で、本体２を圧し潰すことにより、ゴキブリ捕獲器１をコンパクト化することができ、従って扱いや処分をより容易とすることができる。また、本体２を圧し潰すことで、内部空間のゴキブリがより見え難くなる。
【００４８】
また、本体２の内面における少なくとも一部、即ち底面壁２Ｂにおける内面（上側面）に粘着部である粘着剤層を有し、本体２圧し潰すと本体２の対向する内面同士すなわち底面壁２Ｂにおける内面（上側面）と上面壁２Ｔにおける内面（下側面）とが互いに粘着し得るように構成されているので、粘着剤層で上記本体２の対向する内面同士を粘着させることによって本体２を圧し潰した状態に保持することができる。従って、ゴキブリ捕獲器１を容易にコンパクト化した状態に保持することができるので、扱いや処分がさらに容易となっている。また、内部空間がゴキブリを閉じ込めた状態で圧縮されるような格好となり、そのぶんゴキブリをさらに効果的に見え難くすることができるようになっている。また、粘着部である粘着剤層が、上述のように本体２を圧し潰した状態に保持する機能と、粘着によりゴキブリを捕らえる捕獲手段としての機能とを兼ねる構成となっており、これにより、ゴキブリ捕獲器１が効率的に構成されている。
【００４９】
また、本体２が、左右両側面壁２Ｌ、２Ｒおよび矩形片２１Ｌ、２１Ｒに、折り曲げ部である第１折り目および第２折り目を有し、該第１折り目および第２折り目を折り曲げることにより圧し潰すことが可能に構成されているので、簡単な構成により効果的に圧し潰すことが可能な本体２となっている。
【００５０】
また、本体２が、開口部３より外側へ間隔を確保するためのスペーサ部２Ｓを有するので、ゴキブリ捕獲器１を設置した状態で、開口部３の外側にゴキブリが通過し得る通路を確保することができるようになっている。特に、例えば壁、家具等の構造物に沿ってゴキブリ捕獲器１を設置する場合に、スペーサ部２Ｓを該構造物にあてて位置させることによって、必要な通路を確保しながらゴキブリ捕獲器１を容易かつ確実に設置することができる。換言すれば、スペーサ部２Ｓが、開口部３と構造物との間に所要の間隔をおくようにしてゴキブリ捕獲器１を配置するためのガイドないし位置決め手段として機能することができるようになっている。
【００５１】
また、スペーサ部２Ｓが、開口部３より外側へ約１．５ｃｍの間隔を確保し得るものとなっているので、ゴキブリが通過しやすい通路を形成することができるようになっている。
【００５２】
また、本体２が、方形状の上面壁２Ｔおよび底面壁２Ｂと、上辺が傾斜する多辺形状（四辺形状）の左右両側面壁２Ｌ、２Ｒとにより、上面、底面および左右両側面が閉塞され、上記上面壁２Ｔが上記両側面壁２Ｌ、２Ｒの上辺に沿って傾斜し、上記上面壁２Ｔにおける最も高い位置で延びる端縁（頂部端縁）に沿って拡がる側面である背面の少なくとも一部すなわち大部分が開放されて開口部３となっているので、上面壁２Ｔが開口部３に向けて上方へ傾斜しながら、本体２が全体として開口部３に向けて次第に拡大していくような形状の多面体となっている。従って、開口部３の開口面積を大きく確保しながら、安定感をもって配置することができる。また、圧し潰す際にも開口部３の側から圧し潰しやすい。さらにまた、外観の上でも、シャープでシンプルな見栄えを有し、ゴキブリを連想し難く好適な印象を与え得るデザインのゴキブリ捕獲器１となっている。特に、例えば壁、家具等の構造物に開口部３を向けるようにしてゴキブリ捕獲器１を設置する場合に、開口部３が大きく開口していながら、この開口部３が見え難いような体勢として、スペースを効率よく利用しつつ納まり良く配置することができるようになっている。また、上述のような簡潔な構成を有しているため、組み立ても容易となっている。
【００５３】
（変更態様）
上記実施の形態には、種々の変更を加えることが可能であり、以下に変更の例を挙げる。なお、以下に示す変更態様において、上記実施の形態と同様の部分ないし部位には同一の符号を付し、これについての言及は必要な場合を除いて省略する。
【００５４】
（１）上記実施の形態においては、全体形状や折り曲げ可能な構造により、上下方向に圧し潰すことが容易なように構成されていたが、本発明はこのような構成に限定されるものではなく、例えば圧し潰し難い構成のものであってもよい。また、上述のような全体形状や折り曲げ可能な構造等により特に圧し潰すことが容易な構成としなくても、上記実施の形態におけるように厚紙等の材質で構成すれば、それだけでも多少とも圧し潰し易い害虫捕獲器とすることができる。しかしながら、言うまでもなく、上記実施の形態におけるような全体形状や折り曲げ可能な構造によって圧し潰し易い構成とすると、圧し潰しがいっそう容易となり、さらにまた、平板状の比較的に整然とした形状に圧し潰すことができることとなるため、そのぶん取扱性や処理の容易性の点でさらに望ましい。
【００５５】
また、折り曲げ可能な構成として、上記実施の形態におけるように左右両側面壁２Ｌ、２Ｒおよび矩形片２１Ｌ、２１Ｒを一条の折り目で二つ折りに折り曲げる構成以外にも、例えば、壁をつづら折り式（またはアコーディオン式ないし蛇腹式）に側面視ジグザグ状となるように、二条以上の折り目で三つ折り以上の多段に折り曲げるような構成としてもよい。また、圧し潰すことが容易な構成として、例えば、上下方向等の一方向だけでなく、前後方向や左右方向等のような、他の一以上の方向にも圧し潰すことが容易な構成とし、これによりさらにコンパクトに圧し潰すことができるようにしてもよい。
【００５６】
（２）上記実施の形態においては、スペーサ部２Ｓが、本体２の底面壁２Ｂから後方へ片状に延出するようにして形成されていたが、スペーサ部の構成としては、開口部より外側へ間隔を確保し得るものであれば特に限定されない。
【００５７】
例えば、上記実施の形態におけるようにスペーサ部２Ｓを本体２と一体的に形成する以外にも、例えば別体の部材としてスペーサを調製して本体に接合することによりスペーサ部を構成するようにしてもよい。
【００５８】
また、スペーサ部の形状としても特に限定されず、上記実施の形態におけるような矩形状ないし帯形状の片状のもの以外にも、例えば、棒状、柱状等の各種形状の突起状のものや、本体の背面から後方へ枠状（コの字状）に突出するのもの等、任意のものが可能である。また、スペーサ部の形成位置としても、上記実施の形態におけるような本体２の背面における底辺部以外にも、上辺部、側辺部等であってもよく、本体における少なくとも一部の適宜な部位に形成すればよい。
【００５９】
また、上記実施の形態においては、スペーサ部２Ｓの延出幅ｗ１が約１．５ｃｍとなっていが、スペーサ部の延出幅としては、約０．５〜２ｃｍ程度、より好適には約０．５〜１．５ｃｍ程度、さらに好適には約１〜１．５ｃｍ程度であれば、害虫が通過しやすい通路を形成することができる。スペーサ部の延出幅が約０．５ｃｍ程度以上であると、一般的な寸法のゴキブリが通過し得る幅を確保することができ、一方、約２ｃｍ程度以下であると、特にゴキブリが好むような狭い幅の通路を形成することができる。
【００６０】
また、例えば逆に、スペーサ部を設けず、そのぶんさらに本体を簡潔に構成するようにしてもよい。さらには、例えば、本体にスペーサをスライド動作や回転動作等により出入可能に（出没可能に）設けたり、本体に適宜なスリットを設けて別体のスペーサを挿通する構造等により着脱可能な構成としたりすることによって、使用状況に応じて本体２からスペーサを突出させた使用状態と突出させない非使用状態とを使い分けることができるようにしてもよい。
【００６１】
（３）上記実施の形態においては、スペーサ部２Ｓが、開口部３より外側へ間隔を確保するための部位となっていたが、例えば図５に示すように、開口部以外の部位において間隔を確保するためのスペーサ部を設けるようにしてもよい。同図に示すゴキブリ捕獲器１１においては、上記実施の形態の場合と同様のスペーサ部１２Ｓに加えて、側方へ間隔を確保するための左側スペーサ部２５Ｌおよび右側スペーサ部２５Ｒが設けられている。なお、本変更態様に係る本体１２の構成は、左側スペーサ部２５Ｌおよび右側スペーサ部２５Ｒが設けられている点以外は、上記実施の形態に係る本体２の構成と同様である。
【００６２】
左側スペーサ部２５Ｌおよび右側スペーサ部２５Ｒは、それぞれ、本体１２の底面壁１２Ｂの左右方向の幅を、左右両側面壁１２Ｌ、１２Ｒより左方および右方へ幅ｗ３だけはみ出すように大きめに設定することにより形成されている。上記左右両側スペーサ部２５Ｌ、２５Ｒの延出幅ｗ３は、上記実施の形態に係るスペーサ部２Ｓの延出幅ｗ１と同じく約１．５ｃｍとなっており、延出端側における前後両端の角部は丸く角落ちするよう成形されている。
【００６３】
本変更態様に係るゴキブリ捕獲器１１によれば、後方すなわち開口部３より外側方だけでなく、側方にも間隔を確保することができ、従って特に、後方だけでなく側方にも構造物がある位置に好適に設置することができる。例えば、図４に示す例のように室内における入隅部、即ち２つの隣接する壁面Ｆ１およびＦ２が交差する部位における床面Ｌ１上に設置するような場合に特に好適に設置することができる。図４に示す例においては、前述の通り矢印Ａ１およびＡ２で示すように右側方ないし左側方からゴキブリが開口部３に寄ってくることができるが、左側の矢印Ａ２で示すようにゴキブリ捕獲器１と、その左側に位置する壁面Ｆ２との間を通って左側方から開口部３に寄ってくる場合、ゴキブリ捕獲器１と該壁面Ｆ２との間隔Ｄ１が好適であれば、この部位においてもゴキブリが通過しやすい通路が形成されることとなる。そこで、本変更態様に係るゴキブリ捕獲器１１によれば、左右両側スペーサ部２５Ｌ、２５Ｒを備えているので、左側スペーサ部２５Ｌの先端を左側の壁面Ｆ２にあてるようにしてゴキブリ捕獲器１１を床面Ｌ１上に置くだけで、本体２の左側面すなわち左側面壁２Ｌと該壁面Ｆ２との間に、ゴキブリが通過しやすい好適な進入経路を形成することができる。
【００６４】
本変更態様に係る左右両側スペーサ部２５Ｌ、２５Ｒは、上述の通り本体１２の底面壁１２Ｂを左方および右方へ延出させるようにして形成することにより、本体１２と一体的に形成されており、これによれば容易に形成できる利点があるが、これにかえて、例えば図６に示す右側スペーサ部２６Ｒのように、板状等の適宜形状となるように別体の部材としてスペーサを調製し、左右両側面壁２Ｌ、２Ｒより左方および右方へ幅ｗ３だけはみ出すように、底面壁２Ｂにおける左右両側端縁部の外面（下側面）に下方から重ねて接合することにより左右両側スペーサ部を構成してもよい。この構成によれば、例えば、左右両側スペーサ部を本体２と異なる材質や厚さのものとして強度を高くしたりしてもよい。本変更態様に係る右側スペーサ部２６Ｒの場合、本体２を構成する厚紙よりもやや厚めの厚紙で構成され、これにより、板状の形状を保持しやすく、構造物に頻繁に当接させても比較的に損傷し難いように、強度がより高くなるように構成されている。また、左右両側スペーサ部を本体２と分離した別部品のスペーサとして提供し、使用時に必要に応じ、本体２における左側および右側の少なくとも一方に取り付ける、といった使用態様とすることも可能である。さらには、この左右両側スペーサ部の場合にも、上述の開口部３より外側方に突出するスペーサ部の場合と同様に、本体２における左側および右側の少なくとも一方において、出入可能な構成や着脱可能な構成とすることによって、使用状況に応じて本体２からスペーサを突出させた使用状態と突出させない非使用状態との使い分けが可能な構成としてもよい。
【００６５】
（４）上記実施の形態においては、上面壁２Ｔが開口部３に向けて上方へ傾斜しながら、本体２が全体として開口部３に向けて次第に拡大していくような形状の多面体となっていたが、本体の形状としてはこのようなものに限定されるものではなく、特に本発明においては、本体において開口部を除く部位は開放されていなければよいため、任意の形状に構成することができる。
【００６６】
例えば、上記実施の形態に係る本体２のように上辺が傾斜する四辺形状の左右両側面壁２Ｌ、２Ｒを有するものにかえて、図７（ａ）に示すように、上辺が傾斜する三角形状の左側面壁２７Ｌおよび右側面壁（図示省略）を有する本体２８や、図７（ｂ）に示すように、上辺が傾斜しない方形状（長方形状）の左側面壁２９Ｌおよび右側面壁（図示省略）を有する本体３０等としてもよい。これらの変更態様によれば、より簡潔な構成とすることができ、特に図７（ａ）に示すような側面視三角形状の本体２８の場合、前面壁を省略した構成とすることができる。ただしこの場合、本体２８の前端部２８Ｇが、内部における高さが過小で害虫が進入し難いデッドスペースとなりやすいため、この観点からすれば上記実施の形態のように側面視四辺形状の本体２とするほうが望ましい。
【００６７】
また、圧し潰しやすさや、安定感、意匠性等の観点からすれば、図７（ｂ）に示すような上辺が傾斜しない側面視形状を有する本体３０とするよりも、上記実施の形態に係る本体２や図７（ａ）に示すような側面視三角形状の本体２８のように上辺が傾斜する側面視形状を有する本体とするほうが有利である。
【００６８】
さらにまた、上記実施の形態に係る本体２や図７（ａ）および（ｂ）に示す本体２、２８、３０のように実質的に平面のみから構成される多面体状の本体以外にも、例えば、全体的に曲面から構成された本体や、曲面と平面とを組み合わせた形状の本体としてもよい。さらには、例えば、表面に大小の突起や溝、突条等を形成することによってより複雑な形状としたり、身近な物品や車両、建築物、動物等の各種の対象物を模した形状としたりといったように、任意の形状に成形することができる。
【００６９】
また、本体の表面に各種の装飾、絵柄、文字列、模様等を設けたりして意匠性を向上させてもよい。その形成方法としても、例えば印刷や塗装、シールの貼付等の任意の方法が可能である。また、本体の色彩としても特に限定されない。ただし、本体の内面の場合、捕獲した害虫がなるべく目立たないような色とすることが望ましく、例えば上記実施の形態に係る本体２の内面のような灰色以外にも、黒、茶色、ベージュ色、黄土色、褐色等のように、ゴキブリの色に近い色とすることが挙げられる。
【００７０】
上記本体の表面の構成として、より具体的な例を挙げれば、例えば「いらっしゃいませ」等の適宜な文字列を配した態様も可能であり、この態様によるゴキブリ捕獲器を、
住宅、飲食店等の玄関スペースにおける足元等の目につきやすい位置に設置する、といった使用も可能である。この態様によれば、特に飲食店等の場合、ゴキブリ捕獲器を宣伝プレートとして使用することができる。
【００７１】
（５）上記実施の形態においては、開口部３が横長に延びる矩形状となるように形成されていたが、開口部としては、害虫を外部から上記内部空間へ進入させることが可能であって、本体において一方向のみに向けて外部へ開放するように構成されたものであれば、どのような構成のものであってもよい。
【００７２】
例えば、図８に示すように、本体３１の背面に、複数の開口３２Ａ、３２Ｂ、３２Ｃが設けられた構成等も可能である。同図に示す例では、それぞれ一般的なゴキブリ１匹が若干の余裕をもって通過し得る程度の開口面積を有する３個の矩形状の開口３２Ａ、３２Ｂ、３２Ｃが、本体３１の背面に横方向に１列に並置するように形成されている。
【００７３】
また、例えば、本体の内部に、該本体よりも容積の小さい捕獲室を設け、一般的なゴキブリ１匹が若干の余裕をもって通過し得る程度の高さおよび幅をもって横方向に延びる通路により、捕獲室と外部とが通じるようにした構成等も可能である（図示省略）。このような構成によれば、本体の内部に捕獲されたゴキブリをより見え難くすることができる。
【００７４】
（６）上記実施の形態に係るゴキブリ捕獲器１は、本体２のうち、開口部３形成面である背面のみが開放され、開口部３を除く部位はいずれも閉塞された構成となっていたが、例えば、本体のうち、開口部を除く部位に、１または複数の細小な通気口を形成したり、少なくとも一部を、通気性を有する布等の部材で構成したりしてもよい。この場合、開口部を除く部位に細小な通気構造部（気孔）が形成されることとなるが、ゴキブリ等の害虫が通過し得ないような細小な寸法の通気構造部である限りは、本発明に係る開口部には該当せず、開口部を除く部位に形成しても基本的には問題とはならない。ただし、ゴキブリ等の害虫が通過し得ない寸法の通気構造部であっても、例えば触角や脚等だけでも通せるような程度の寸法があれば、通気構造部から触覚や脚等がはみ出して本発明の効果が損なわれることともなり得る。また、たとえそのようなはみ出しがなくても、近くで見れば通気構造部を通して内部の害虫がわずかなりとも視認されてしまうといったことともなり得る。このため、通気構造部の寸法はできるだけ細小であることが望ましい。例えばゴキブリ等の場合、通気構造部の径としては、だいたいゴキブリ等の触角の太さに等しいかそれ未満の範囲内であれば、触角等がはみ出すといったことは困難であり、また目視によっては内部の害虫が明確には見え難い。一方、通気性を良好とする等の観点からは、通気構造部の径が、上述の通り触角の太さに等しい程度以下の範囲内で、なるべく大きいことが望ましい。
【００７５】
本変更態様のように、本体における開口部を除く部位に、害虫の触角等がはみ出したり害虫の一部でも外部から視認されたりし難く、かつ、良好な通気性が得られるような細小な通気構造部（気孔）を形成するようにすると、特に例えば、内部空間の誘引剤で害虫を誘引するような構成の場合に、通気構造部（気孔）を通して誘引剤の有効成分を放出することができ、従って誘引効果を向上させることができる。特に上記実施の形態に係るゴキブリ捕獲器１のように、開口部３形成面のみが開放されていて閉塞性の高い構成となっている場合に、開口部３形成面以外の面で上述のような細小な通気構造部（気孔）を形成するようにすると、本来は誘引剤の有効成分を放出し難いはずの閉塞した部位においてもその放出効果を奏することができるようになるため好ましい。
【００７６】
本変更態様に係る害虫捕獲器の一例であるゴキブリ捕獲器４１を図９に示す。同図に示すゴキブリ捕獲器４１は、本体４２の前面壁４２Ｆを除く構成は上記実施の形態に係る本体２と同様である。本変更態様に係る前面壁４２Ｆには、該前面壁４２Ｆよりやや小面積で該前面壁４２Ｆの大部分を占有する横長の長方形状の貫通口が設けられ、該貫通口の全面を布製の通気膜で覆うようにして、通気部４３が形成されている。該通気部４３を構成する布は、およそ０．０１〜０．１ｍｍ程度の気孔を有し、害虫の触角等がはみ出したり害虫の一部でも外部から視認されたりし難く、かつ、良好な通気性が得られる通気膜となっている。
【００７７】
本変更態様に係る通気膜としては、上述のような布以外にも、例えば、同等のサイズの気孔を有する各種の網、篩、フィルタ等も例示され、あるいは例えば、本体における開口部を除く少なくとも一部を構成する壁に、多数の細小な通気口を直接的に形成した構成等も可能である。
【００７８】
（７）上記実施の形態に係るゴキブリ捕獲器１は、例えば図４に示すように、主として、床面、地面等の上に平伏させるように配置して使用するのに好適な構成となっているが、設置個所の状況によっては、どのような体勢で設置してもよい。例えば、ゴキブリ捕獲器１を平伏させるのに十分な前後幅が確保できないような箇所であれば、前端を床面上につけ、後端を壁面にもたせかけるようにして、ゴキブリ捕獲器１を傾けた体勢で設置してもよい。
【００７９】
さらには例えば、図１０に示すように、底面壁２Ｂを壁面Ｆ３に対して平行な体勢で横から当接させ、開口部３を上方に向けるようにして、ゴキブリ捕獲器１を設置してもよい。このように壁掛けのようにしてゴキブリ捕獲器１を設置する場合、例えば、ピン、フック等の止め具で底面壁２Ｂを壁面Ｆ３に固定するようにしてもよく、あるいは、底面壁２Ｂの外面に着脱可能な粘着部を設けて壁面Ｆ３に貼り付け得るように構成したり、底面壁２Ｂの適宜位置に磁石を配置固定しておき、金属製の構造物に対して磁力により付着し得るように構成したりしてもよい。このような使用態様の場合、例えば成人が立った姿勢にあるときの平均的な目の高さよりもやや高い位置に、開口部３を上方に向けるようにしてゴキブリ捕獲器１を取り付けると、ゴキブリ捕獲器１の内部空間がより見え難くなって望ましい。
【００８０】
なお、上述のように向きを変えて使用することも可能なため、開口部は必ずしも本体の背面に設けられている必要はなく、６面のうちの１面に形成されていればよい。あるいは換言すれば、以上の説明においては、特に好適と考えられる使用態様における害虫捕獲器の体勢を規準として、本体においていずれの面が上下左右前後の各面となるかという方向性を定義していた（あるいは各面の呼称を設定していた）が、本来的には、上述の通り使用状況によって方向性が入れ替わるような場合もあり得るのであり、従って必ずしも、方向性（あるいは各面の呼称）が一通りに定まっている必要はない。
【００８１】
（８）上記実施の形態においては、本体２が厚紙よりなるものとなっていたが、本体の構成材としてはこれ以外にも、例えば樹脂、金属、木材、またはこれらの２以上を組み合わせたもの等の任意の材質よりなるシートや薄板等が使用できる。もっとも、折り曲げや廃棄処分の容易性、軽量性、コスト等の観点からすれば、紙を用いることが特に望ましい。
【００８２】
（９）上記実施の形態に係るゴキブリ捕獲器１は、ゴキブリを誘引剤で誘引し内部空間に進入させて粘着剤層で捕獲するように構成されていたが、害虫を捕獲する手段ないし構成としてはこのようなものに限定されず、任意のものを用いることができる。また、粘着剤層には剥離紙を付すようにしてもよいが、例えば、長期間露出させておいても粘着性を喪失し難い粘着剤で粘着剤層を形成して剥離紙を付さない構成としてもよく、これによれば、そのぶん、組立の手間も省くことができ、生じるゴミも減らすことができる。さらにまた、粘着剤層の形成態様としても特に限定されず、例えば、本体の底面壁における内面（上側面）に部分的に形成したり、あるいは、上面壁における内面（下側面）にも粘着剤層を形成したりしてもよく、さらには、本体の形状によっては、対向する側面壁における内面の少なくとも一方に粘着剤層を形成し、これにより側面壁同士でも粘着し得るような構成としてもよい。
【００８３】
（１０）上記実施の形態においては、ステップ部２Ｐの傾斜角度が約２０°となっていたが、ステップ部の傾斜角度としては、約２０°〜約３０°程度とすることが望ましい。ステップ部の傾斜角度が２０°以上程度であれば、効果的にゴキブリを粘着剤層の上に落下させて捕獲することができるとともに、傾斜に応じて高低差が大となることにより、捕獲したゴキブリが外部へ逃れ出ることを困難とすることができる。一方、ステップ部の傾斜角度が３０°以下程度であれば、ゴキブリが外部からステップ部を踏み越えて本体の内部へと進入していきやすい。
【００８４】
（１１）上記実施の形態に係るゴキブリ捕獲器１は、クロゴキブリ、チャバネゴキブリ、ワモンゴキブリ等のゴキブリを捕獲するのに特に好適に構成されているが、例えばムカデ、ハエ等のような、ゴキブリ以外の害虫も捕獲することが可能である。そこで、例えば、特に捕獲することを意図する害虫、あるいはゴキブリのうちでも特に捕獲することを意図するゴキブリの種など、即ち主として捕獲対象とする害虫の寸法や習性等に応じて、害虫捕獲器における各部の構成を適宜変更するようにしてもよい。例えば、捕獲対象とする害虫の寸法や習性に合わせて、開口部の縦横寸法、スペーサ部の延出幅等を適宜設定することが挙げられる。あるいは例えば、主として捕獲対象とする害虫よりも、あえて多少とも大きめの害虫を想定し、その寸法に合わせて各部を構成するようにし、この大きめの害虫にほぼ等しい寸法またはそれ以下の寸法の害虫であれば、主として捕獲対象とする害虫を含めて各種の害虫を好適に捕獲することが可能な構成とする、といった態様も可能である。
【産業上の利用可能性】
【００８５】
本発明は、ゴキブリを捕獲するゴキブリ捕獲器等の害虫捕獲器として好適に適用することができる。
【符号の説明】
【００８６】
１：ゴキブリ捕獲器（害虫捕獲器）
２：本体
３：開口部
【図１】
2019126288.tif 000003
【図２】
2019126288.tif 000004
【図３】
2019126288.tif 000005
【図４】
2019126288.tif 000006
【図５】
2019126288.tif 000007
【図６】
2019126288.tif 000008
【図７】
2019126288.tif 000009
【図８】
2019126288.tif 000010
【図９】
2019126288.tif 000011
【図１０】
2019126288.tif 000012
【図１１】
2019126288.tif 000013